【事件の表示】
　特許第３０３４６６９号「表示装置用カラーフィルター付基板の作製方法及びそれを用いた液晶表示装置」の請求項１ないし４に係る特許に対する特許異議の申立てについて、次のとおり決定する。
【結　論】
　訂正を認める。
　特許第３０３４６６９号の請求項１ないし３に係る特許を取り消す。
【理　由】
１．手続の経緯
　特許第３０３４６６９号の発明についての出願は、平成３年１１月８日に特許出願され、平成１２年２月１８日にその発明についての特許権の設定登録がなされ、その後、有限会社神奈川フィールドサービス、水野敦より特許異議の申立てがなされ、取消しの理由が通知され、その指定期間内である平成１３年３月２１日に訂正請求がなされたものである。
　
２．訂正の適否についての判断
（１）訂正の内容
　ア．訂正事項ａ
　特許請求の範囲の請求項１の記載について、「【請求項１】基板上の有効表示領域内における画素間のブラックマトリックスと有効表示領域外における額縁状のブラックマスクとを形成し、次いで有効表示領域内にカラー画素を、有効表示領域外に前記カラー画素と同じ材料からなるダミー被膜を形成した後、カラーフィルター上を研磨することを特徴とするカラーフィルター付基板の作製方法。」とあるのを、「【請求項１】基板上の有効表示領域内における画素間のブラックマトリックスと有効表示領域外における額縁状のブラックマスクとを黒色顔料分散感光性樹脂により形成し、次いで有効表示領域内にカラー画素を、有効表示領域外に前記カラー画素と同材料かつ同形状のダミー被膜を形成した後、カラーフィルター上を研磨することを特徴とするカラーフィルター付基板の作製方法。」と訂正する。
　イ．訂正事項ｂ
　特許請求の範囲の請求項２を削除する。
　ウ．訂正事項ｃ
　特許請求の範囲の請求項３の記載について、「【請求項３】カラーフィルター上を研磨した後に、カラーフィルター上に保護層を形成し、さらに電極層を形成することを特徴とする請求項１又は２に記載の作製方法。」とあるのを、「【請求項２】カラーフィルター上を研磨した後に、カラーフィルター上に保護層を形成し、さらに電極層を形成することを特徴とする請求項１に記載の作製方法。」と訂正する。
　エ．訂正事項ｄ
　特許請求の範囲の請求項４の記載について、「【請求項４】一対の電極付基板間に液晶層を挟持してなる液晶表示装置において、少なくとも一方の基板として請求項１、２又は３に記載の作製方法で作製されたカラーフィルター付基板を用いたことを特徴とする液晶表示装置。」とあるのを、「【請求項３】一対の電極付基板間に液晶層を挟持してなる液晶表示装置において、少なくとも一方の基板として請求項１又は２に記載の作製方法で作製されたカラーフィルター付基板を用いたことを特徴とする液晶表示装置。」と訂正する。
　オ．訂正事項ｅ
　明細書【００１５】について、「【課題を解決するための手段】本発明は前述の問題点を解決するものであり、基板上の有効表示領域内における画素間のブラックマトリックスと有効表示領域外における額縁状のブラックマスクとを形成し、次いで有効表示領域内にカラー画素を、有効表示領域外に前記カラー画素と同じ材料からなるダミー被膜を形成した後、カラーフィルター上を研磨することを特徴とするカラーフィルター付基板の作製方法を提供するものである。」とあるのを、「【課題を解決するための手段】本発明は前述の問題点を解決するものであり、基板上の有効表示領域内における画素間のブラックマトリックスと有効表示領域外における額縁状のブラックマスクとを黒色顔料分散感光性樹脂により形成し、次いで有効表示領域内にカラー画素を、有効表示領域外に前記カラー画素と同材料かつ同形状のダミー被膜を形成した後、カラーフィルター上を研磨することを特徴とするカラーフィルター付基板の作製方法を提供するものである。」と訂正する。
　カ．訂正事項ｆ
　明細書【００１７】について、「また、ダミー被膜の面積は、有効表示領域外の１％〜２０％程度とし、カラー画素と同形状で設けることが好ましい。もちろんその他の形状も採用可能である。」とあるのを、「また、ダミー被膜の面積は、有効表示領域外の１％〜２０％程度とし、カラー画素と同形状とする。」と訂正する。
　キ．訂正事項ｇ
　明細書【００３２】について、「【実施例】以下、図面に従って、本発明にかかる実施例を説明する。図１はその例を示す断面図である。研磨加工を施したガラス基板１２上にまず、画素間のブラックマトリックス１３、及び有効表示領域外のブラックマスク１４を黒色顔料（カーボン）分散感光性樹脂をフォトリソグラフィーでパターニングすることにより、形成した。次いでカラー画素１１及びカラー画素と同じ材料からなるダミー被膜１５を一度に同じ工程で顔料分散法を用いて形成した。」とあるのを、「【実施例】以下、図面に従って、本発明にかかる実施例を説明する。図１はその例を示す断面図である。研磨加工を施したガラス基板１２上にまず、画素間のブラックマトリックス１３、及び有効表示領域外のブラックマスク１４を、黒色顔料（カーボン）分散感光性樹脂をフォトリソグラフィーでパターニングすることにより、形成した。次いでカラー画素１１及びカラー画素と同じ材料からなるダミー被膜１５を一度に同じ工程で顔料分散法を用いて形成した。」と訂正する。
　ク．訂正事項ｈ
　明細書【００３６】について、「図４に示すように、有効表示領域外のブラックマスク１４上に形成したダミー被膜１５は、隣接するカラー画素１１より優先的に研磨されているが、有効表示領域内ではほぼ均一に研磨が行われている。これに対して、比較例では図５に示すように有効表示領域内のカラー画素１１もその端部のカラー画素が大きく削られて、その高さが低くなっていた。」とあるのを、「図５に示すように、有効表示領域外のブラックマスク１４上に形成したダミー被膜１５は、隣接するカラー画素１１より優先的に研磨されているが、有効表示領域内ではほぼ均一に研磨が行われている。これに対して、比較例では図４に示すように有効表示領域内のカラー画素１１もその端部のカラー画素が大きく削られて、その高さが低くなっていた。」と訂正する。
　ケ．訂正事項ｉ
　明細書【００４１】について、「【発明の効果】本発明は、カラーフィルター付基板のカラーフィルター研磨において、外周部のカラー画素の研磨を抑制するため、表示有効領域内の最外周のカラー画素の表面の研磨による面ダレを防止し、面内のカラ画素の研磨偏差を小さくする効果を有する。その結果、面内のカラーフィルターの表面平滑性を向上させ、この基板を用いた液晶表示装置は面内の色差が小さく、コントラストや色再現性等が良好である効果も認められた。」とあるのを、「【発明の効果】本発明は、カラーフィルター付基板のカラーフィルター研磨において、外周部のカラー画素の研磨を抑制するため、表示有効領域内の最外周のカラー画素の表面の研磨による面ダレを防止し、面内のカラー画素の研磨偏差を小さくする効果を有する。その結果、面内のカラーフィルターの表面平滑性を向上させ、この基板を用いた液晶表示装置は面内の色差が小さく、コントラストや色再現性等が良好である効果も認められた。」と訂正する。
　コ．訂正事項ｊ
　明細書【図面の簡単な説明】の記載について、「【図２】本発明の表示装置用カラーフィルター付基板の研磨後の構成の断面図」とあるのを、「【図２】従来のカラー液晶表示用ガラス基板の構成の断面図」と訂正する。
（２）訂正の目的の適否、新規事項の有無及び拡張・変更の存否
　上記訂正事項ａは、発明を特定する事項である「基板上の有効表示領域内における画素間のブラックマトリックスと有効表示領域外における額縁状のブラックマスクとを形成し」を「基板上の有効表示領域内における画素間のブラックマトリックスと有効表示領域外における額縁状のブラックマスクとを黒色顔料分散感光性樹脂により形成し」、また、「前記カラー画素と同じ材料からなるダミー被膜」を「前記カラー画素と同材料かつ同形状のダミー被膜」に限定するものであり、また、上記訂正事項ｂは請求項２を削除するものであるから、特許請求の範囲の減縮を目的とした訂正に該当する。また、上記訂正事項ｃ及びｄは上記訂正事項ｂによる請求項２の削除による請求項の繰り上げ及び該繰り上げと整合を図るものであり、上記訂正事項ｅ及びｆは上記訂正事項ａと整合を図るものであるから、明りょうでない記載の釈明を目的とした訂正に該当する。そして、上記訂正事項ｇ、ｈ，ｉ及びｊは誤記の訂正を目的とした訂正に該当する。しかも、上記訂正事項ａ〜ｊは、新規事項の追加に該当せず、また、実質的に特許請求の範囲を拡張又は変更するものではない。
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議申立ての概要
（１）申立人有限会社神奈川フィールドサービスは、
（Ａ）請求項１〜４に係る発明は、甲第１号証（特開平２−２１７８２３号公報）及び甲第２号証（特開平１−２６９９１７号公報）に記載された発明を組み合わせることにより、当業者が容易に発明し得るものであり、特許法第２９条第２項の規定に違反してなされたものである、
（Ｂ）発明の詳細な説明には、請求項１〜４に記載された発明を、当業者が容易に実施し得る程度に記載されていないから、請求項１〜４に係る発明は、その明細書が特許法第３６条第４項の規定に適合していない出願に対してなされたものである
から、特許法第１１３条第１項第２号及び第４号に該当し、取り消されるべきであると主張している。
（２）申立人水野敦は、請求項１に係る発明は、甲第１号証（特開昭６３−２８２７０２号公報）、甲第２号証（特開平１−１４０１０１号公報）、甲第３号証（特開昭５２−４７６２７号公報）、甲第４号証（特開平３−９８０５２号公報）に記載された発明を組み合わせることにより、当業者が容易に発明し得るものであり、特許法第２９条第２項の規定に違反してなされたものであるから、特許法第１１３条第１項第２号に該当し、取り消されるべきであると主張している。
　
４．本件の請求項１〜３に係る発明
　上記２．で示したように上記訂正が認められるから、本件の請求項１、２、３に係る発明（以下、それぞれ、本件発明１、２、３という）は、上記訂正請求に係る訂正明細書の特許請求の範囲の請求項１、２、３に記載された事項により特定されるとおりのものである。
　
５．引用刊行物記載の発明
　当審が通知した取消理由に引用された刊行物１（特開昭６１−３１２２号公報）には、
・「液晶セルを構成する一方の基板の内面に不透明部を所定間隔を置いて印刷形成する工程と、該不透明部間にカラー・フイルタ部を印刷形成する工程と、該カラー・フイルタ部を平坦化する工程とを有してなる液晶カラー表示素子の製造方法。」（請求項１）
・「本発明においては、先ず第２図Ａに示すように、液晶セルを構成する一方の基板即ち透明ガラスより成る基板（２）の内面に黒色等の不透明材を所定間隔（後で形成される各色のカラー・フイルタ部（１）の大きさに対応する）を置いて印刷し、不透明部（４）を形成する。・・次に、第２図Ｂに示すように、これらの不透明部（４）間の基板（２）上にカラー・フイルタ部（１）となる赤色、緑色、青色の各インク（５）〔（５Ｒ），（５Ｇ），（５Ｂ）〕をドット状又はストライプ状に５±３μの厚さに印刷し、定着を行う。・・次に、第２図Ｃに示すように、例えば３μ粒系、アルミナ、シリコンカーバイドより成るラッピングフイルムを使用して、各インク（５Ｒ），（５Ｇ），（５Ｂ）の表面を研磨し、平均のインク厚が５μとなるようにする。このように、各インク即ち各カラー・フイルタ部（１Ｒ），（１Ｇ），（１Ｂ）の表面を平坦化するのは、液晶層内の液晶分子を配向させるためには、表面が平坦であることが望ましいからである。・・次に、第２図Ｄに示すように、カラー・フイルタ部（１Ｒ），（１Ｇ），（１Ｂ）上にエポキシ系の絶縁コーテイング材をドクターナイフ法によって被覆し、コーテイング層を形成する。・・次に、第２図Ｅに示すように、コーテイング層（６）の上に例えばＩＴＯよりなる透明電極層（７）、さらに配向層（８ａ）を形成する。一方、図示せざるも表示電極層、スイッチング素子、及び配向層を形成した他方の基板を設け、この基板と上記カラー・フイルタ部（１）を形成した基板（２）とを所定間隔を置いて対向配置し、両基板間に液晶（８）を封入してカラー表示素子を構成する。」（公報第２頁左上欄第１２行〜同右下欄第５行）
という事項が記載されている。
　これらの記載事項によれば、刊行物１には、
「基板（２）上に黒色等の不透明材を所定間隔（後で形成される各色のカラー・フイルタ部（１）の大きさに対応する）を置いて印刷し、不透明部（４）を形成し、次に、不透明部（４）間の基板（２）上にカラー・フイルタ部（１）となる赤色、緑色、青色の各インク（５Ｒ），（５Ｇ），（５Ｂ）をドット状に印刷し、定着を行い、次に、各インク（５Ｒ），（５Ｇ），（５Ｂ）の表面を研磨するカラー・フイルタ部付基板の作製方法。」（以下、引用発明という）が記載されていると認められる。
　当審が通知した取消理由に引用された刊行物２（特開平１−２６９９１７号公報：申立人有限会社神奈川フィールドサービス提出の甲第２号証）には、
・「（１）遮光膜とカラーフィルターをセル内面に設けたカラー液晶表示素子において、その電極群が対向して表示を行う表示部の外周の周辺部にも、遮光膜とカラーフィルターとを設けたことを特徴とするカラー液晶表示素子。・・（３）厚膜の遮光膜と厚膜のカラーフィルターをセル内面に設けたカラー液晶表示素子において、その電極群が対向して表示を行う表示部においては、その画素部分にカラーフィルターを設けるとともに画素間に遮光膜を設け、その表示部の外側の周辺部にも、表示部と同じパターンの同じ遮光膜と同じカラーフィルターとを設けたことを特徴とするカラー液晶表示素子。・・」（特許請求の範囲）
・「遮光膜としては、・・光硬化性黒色インクを用いたフォトエッチング法・・が使用できる。」（公報第４頁右上欄第５〜１０行）
・「第１図は、薄膜の遮光膜と厚膜のカラーフィルターをセル内面に設けたカラー液晶表示素子に適用した例の表示部と周辺部の境界付近の遮光膜とカラーフィルターのパターンを示す平面図である。なお、この図においては、分り易くするためにカラー液晶表示素子の左上隅部分のみを拡大して示しており、実際のカラー液晶表示素子では右上隅部分、左下隅部分、右下隅部分においても同様の構成を採っていて表示部の周辺に周辺部が形成されている。・・この図において、その電極群が対向して表示を行う表示部１においては、その画素部分２にカラーフィルター３を設けるとともに画素間に遮光膜４を設け、その表示部の外側の周辺部５には、表示部の画素間に設けた遮光膜と同じ遮光膜６を全面に設けるとともに表示部の画素部分のカラーフィルター３と同じカラーフィルターで・・カラーフィルター７を設ける。」（公報第４頁右下欄第１９行〜第５頁右上欄第１行）
・「第１図及び第４図に示すように、ガラス基板上にＣｒの薄膜遮光膜を１００ｎｍ厚に形成し、電極部の画素に相当する部分にその周辺部が遮光膜と重なるように染色法によるＲＧＢ３色の厚さ２．０μｍの厚膜カラーフィルターを形成し、この上にポリイミドによるオーバーコート層（平坦化層）を形成した。」（公報第８頁左上欄第６〜１２行）
と記載され、また、第１図には、表示部１の遮光膜４がマトリックス状に形成され、また、表示部１のカラーフィルター３と周辺部５のカラーフィルター７が同形状である構成が記載されている。
　当審が通知した取消理由に引用された刊行物３（特開昭５２−４７６２７号公報：申立人水野敦提出の甲第３号証）には、
・「ところが撮像すべき被写体から色信号を得るために色ストライプフイルタが表面に形成されたガラス板をフエースプレートとして用いた場合にはフエースプレートの表面が一様とならず、第１図に示すように色フイルタ部分（１）と色フイルタのない透明な部分（２）とで凹凸となる。・・このような凹凸が発生すると透明導電膜、光導電膜の厚さも不均一になり・・欠点があった。これを防ぐため色ストライプフイルタの凹凸をなくすことが行われる。これは第２図に示すように凹凸のある色ストライプフイルタ上に蒸着ガラス（４）で厚く蒸着した後、表面を光学研磨するものである。・・ところがこのように形成された色ストライプフイルタの上に前述したようにガラス蒸着をして研磨をすると平面を一様にすることが難かしく周辺では第３図（ｂ）のように一様にならなくなるなどの欠点があった。・・本発明の他の目的はガラス基板上に形成された非対称な色ストライプフイルタとこの周囲に円対称となるようにダミーの色ストライプフイルタを形成した上でオーバーコートを形成させることにより表面の均一なフエースプレートを得ることにある。」（公報第１頁右下欄第１行〜第２頁右上欄第１２行）
・「第５図は本発明の他の実施例を示すものである。ガラス基板（２３）上には非対称な第１の色ストライプフイルタ（２１）が有効視野を含む部分に形成され、その周囲に第２〜第５の色ストライプフイルタ（２６ａ）〜（２６ｄ）が形成される。これらの色ストライプフイルタ上にオーバーコート（２４）が形成される。オーバーコート層の表面は光学研磨された後透明導電膜、光電膜が蒸着され、ビジコンのフエースプレートが形成される。第１の色ストライプフイルタ（２１）はビジコンの有効視野より幾分大きな面積に形成される。第２〜第５の色ストライプフイルタ（２６ａ）〜（２６ｄ）は有効視野外に独立に設けられる。通常これらはマスクを用いてホトエッチング技術により同時に形成される。ここでも前記と同様に第２〜第５の色ストライプフイルタ（２６ａ）〜（２６ｄ）は光電変膜とは直接関係ないダミーとなっている。第１の色ストライプフイルタ（２１）は非対称となっているが、第２〜第５の色ストライプフイルタ（２６ａ）〜（２６ｄ）は円対称に第１の色ストライプフイルタ（２１）を囲むように形成されているため、これらに支えられてオーバーコート（２４）には一様な力が加わり均一に研磨されることになり、したがって有効視野部分は光学的に均一に研磨される。このようにダミーのオーバーコートまたは色ストライプフイルタを円対称に設けることにより、少なくとも有効視野内の表面は均一に形成されることになり、過度の力が加わることがなくなる。」（公報第２頁右下欄第８行〜第３頁左上欄第１６行）
と記載されている。
　
６．本件発明１の特許について
　本件発明１と引用発明を対比すると、引用発明の「基板（２）上に黒色等の不透明材を所定間隔（後で形成される各色のカラー・フイルタ部（１）の大きさに対応する）を置いて印刷し、不透明部（４）を形成し、次に、不透明部（４）間の基板（２）上にカラー・フイルタ部（１）となる赤色、緑色、青色の各インク（５Ｒ），（５Ｇ），（５Ｂ）をドット状に印刷し、定着を行い、」という記載は、「不透明部（４）」が画素間にマトリックス状に形成されていることを示していると認められ、また、刊行物１に「不透明部（４）」及び「カラー・フイルタ部（１）」を有効表示領域内に形成する旨の記載はないが、該「不透明部（４）」及び「カラー・フイルタ部（１）」を有効表示領域内に形成することは、技術常識から当業者には当然のことであるから、引用発明の「基板（２）上に黒色等の不透明材を所定間隔（後で形成される各色のカラー・フイルタ部（１）の大きさに対応する）を置いて印刷し、不透明部（４）を形成し、」、「不透明部（４）間の基板（２）上にカラー・フイルタ部（１）となる赤色、緑色、青色の各インク（５Ｒ），（５Ｇ），（５Ｂ）をドット状に印刷し、定着を行い」は、それぞれ、本件発明１の「基板上の有効表示領域内における画素間のブラックマトリックス・・形成し」、「有効表示領域内にカラー画素を・・形成した」に相当すると認められるから、両者は、「基板上の有効表示領域内における画素間のブラックマトリックスを形成し、次いで、有効表示領域内にカラー画素を形成した後、カラーフィルター上を研磨するカラーフィルター付基板の作製方法。」で一致し、本件発明１は、
（１）有効表示領域外における額縁状のブラックマスクを形成し、次いで有効表示領域外にカラー画素と同材料かつ同形状のダミー被膜を形成する構成、
（２）ブラックマトリックスとブラックマスクとを黒色顔料分散感光性樹脂により形成する構成
を有する点で、引用発明と相違する。
　先ず、相違点（１）について検討すると、
上記刊行物２の「第１図は、薄膜の遮光膜と厚膜のカラーフィルターをセル内面に設けたカラー液晶表示素子に適用した例の表示部と周辺部の境界付近の遮光膜とカラーフィルターのパターンを示す平面図である。なお、この図においては、分り易くするためにカラー液晶表示素子の左上隅部分のみを拡大して示しており、実際のカラー液晶表示素子では右上隅部分、左下隅部分、右下隅部分においても同様の構成を採っていて表示部の周辺に周辺部が形成されている。」という記載及び第１図の記載から、周辺部５の遮光膜６は額縁状に形成するものと認められ、この「周辺部５」は「有効表示領域外」であるから、引用発明においても、刊行物２に記載されるように、有効表示領域外における額縁状の遮光膜、すなわち、ブラックマスクを形成することは、当業者が容易になし得ることである。
　また、上記刊行物２の「その表示部の外側の周辺部５には、表示部の画素間に設けた遮光膜と同じ遮光膜６を全面に設けるとともに表示部の画素部分のカラーフィルター３と同じカラーフィルターで・・カラーフィルター７を設ける。」という記載及び第２図の記載から、周辺部５のカラーフィルター７は表示部３のカラーフィルター３と同材料かつ同形状で設けるものと認められ、これら「周辺部５」、「カラーフィルター７」、「表示部３」、「カラーフィルタ３」はそれぞれ「有効表示領域外」、「ダミー被膜」、「有効表示領域内」、「カラー画素」に相当するから、引用発明においても、刊行物２に記載されるように、有効表示領域外に、有効表示領域内のカラー画素と同材料かつ同形状のダミー被膜を形成することは、当業者が容易になし得ることである。
　次に、相違点（２）について検討すると、
上記刊行物２の「遮光膜としては、・・光硬化性黒色インクを用いたフォトエッチング法・・が使用できる。」という記載は、「遮光膜」、すなわち、「ブラックマトリックス」及び「ブラックマスク」を光硬化性黒色インクにより形成する構成を示しているから、上記相違点（１）について記載したように、引用発明において有効表示領域外における額縁状のブラックマスクを形成した構成においても、ブラックマトリックスとブラックマスクを光硬化性黒色インキにより形成することは、当業者であれば適宜設計し得ることである。また、光硬化性黒色インキとして、黒色顔料分散感光性樹脂は、特開昭６０−２４７６０３号公報、特開昭６３−３１４５０１号公報、特開平２−１０３５０３号公報、特開平２−１８１７０４号公報、特開平２−１９３１８４号公報に示されるように周知のものである。
　さらに、本件発明１の効果について検討すると、
上記刊行物３の記載には、液晶表示装置に使用するカラーフィルター付基板と類似の技術分野である、撮像管のフエースプレートにおいて、有効視野部分のカラーフィルターに加え、有効視野部分外にダミーのカラーフィルターを形成することにより、カラーフイルター上のオーバーコート層の表面を研磨する際に、有効表示領域では均一に研磨されるという効果を奏し得るという構成及び効果が記載されているから、上記引用発明及び刊行物２に記載された発明を組み合わせて構成されるカラーフィルター付基板の作製方法においても、刊行物３に記載されたものと同様に有効表示領域外にダミー被膜を形成するのであるから、カラーフィルター上を研磨する際に、有効表示領域外のダミー被膜により、有効表示領域内のカラー画素が均一に、すなわち、平坦に研磨されるという効果を奏することは明らかである。
　したがって、本件発明１は、刊行物１及び２に記載された発明に基づいて当業者が容易に発明できたものである。
　
７．本件発明２の特許について
　本件発明２は、本件発明１に、「カラーフィルター上を研磨した後に、カラーフィルター上に保護層を形成し、さらに電極層を形成する」構成を付加したものであり、この構成について検討すると、
上記刊行物１の「次に、第２図Ｃに示すように、例えば３μ粒系、アルミナ、シリコンカーバイドより成るラッピングフイルムを使用して、各インク（５Ｒ），（５Ｇ），（５Ｂ）の表面を研磨し、平均のインク厚が５μとなるようにする。このように、各インク即ち各カラー・フイルタ部（１Ｒ），（１Ｇ），（１Ｂ）の表面を平坦化するのは、液晶層内の液晶分子を配向させるためには、表面が平坦であることが望ましいからである。・・次に、第２図Ｄに示すように、カラー・フイルタ部（１Ｒ），（１Ｇ），（１Ｂ）上にエポキシ系の絶縁コーテイング材をドクターナイフ法によって被覆し、コーテイング層を形成する。・・次に、第２図Ｅに示すように、コーテイング層（６）の上に例えばＩＴＯよりなる透明電極層（７）・・を形成する。」という記載の、「カラーフィルタ部」、「コーティング層」、「透明電極層」はそれぞれ「カラーフィルター」、「保護層」、「電極層」であるから、該記載により、カラーフィルター上を研磨した後に、カラーフィルター上に保護層を形成し、さらに電極層を形成する構成が開示されていると認められる。
　したがって、本件発明２は、本件発明と同様の理由により、刊行物１及び２に記載された発明に基づいて当業者が容易に発明できたものである。
　
８．本件発明３の特許について
　本件発明３は、一対の電極付基板間に液晶層を挟持してなる液晶表示装置において、少なくとも一方の基板として本件発明１又は２によるカラーフィルター付基板を用いた液晶表示装置であり、この液晶表示装置について検討すると、
上記刊行物１の「液晶セルを構成する一方の基板即ち透明ガラスよりなる基板（２）の・・ＩＴＯよりなる透明電極層（７）、さらに配向層（８ａ）を形成する。一方、図示せざるも表示電極層、スイッチング素子、及び配向層を形成した他方の基板を設け、この基板と上記カラーフィルタ部（１）を形成した基板（２）とを所定間隔を置いて対向配置し、両基板間に液晶（８）を封入してカラー液晶表示素子を構成する。」という記載の、「一方の基板」及び「他方の基板」、「液晶（８）」、「液晶表示素子」はそれぞれ「一対の電極付基板」、「液晶層」、「液晶表示装置」であるから、該記載により、一対の電極付基板間に液晶層を封入、つまり、挟持して作製された液晶表示装置が開示されていると認められる。
　したがって、本件発明３は、本件発明１と同様の理由により、刊行物１及び２に記載された発明に基づいて当業者が容易に発明できたものである。
　
９．むすび
　以上のとおりであるから、本件発明１、２、３の特許は、特許法第２９条第２項の規定に違反してなされたものであるから、同法第１１３条第２号に該当し、取り消されるべきものである。
　よって結論のとおり決定する。
【異議決定日】
平成１３年４月２４日（２００１．４．２４）
【訂正の要旨】
訂正の要旨
（１）訂正事項ａ
　特許請求の範囲の請求項１の記載について、「【請求項１】基板上の有効表示領域内における画素間のブラックマトリックスと有効表示領域外における額縁状のブラックマスクとを形成し、次いで有効表示領域内にカラー画素を、有効表示領域外に前記カラー画素と同じ材料からなるダミー被膜を形成した後、カラーフィルター上を研磨することを特徴とするカラーフィルター付基板の作製方法。」とあるのを、「【請求項１】基板上の有効表示領域内における画素間のブラックマトリックスと有効表示領域外における額縁状のブラックマスクとを黒色顔料分散感光性樹脂により形成し、次いで有効表示領域内にカラー画素を、有効表示領域外に前記カラー画素と同材料かつ同形状のダミー被膜を形成した後、カラーフィルター上を研磨することを特徴とするカラーフィルター付基板の作製方法。」と訂正する。
（２）訂正事項ｂ
　特許請求の範囲の請求項２を削除する。
（３）訂正事項ｃ
　特許請求の範囲の請求項３の記載について、「【請求項３】カラーフィルター上を研磨した後に、カラーフィルター上に保護層を形成し、さらに電極層を形成することを特徴とする請求項１又は２に記載の作製方法。」とあるのを、「【請求項２】カラーフィルター上を研磨した後に、カラーフィルター上に保護層を形成し、さらに電極層を形成することを特徴とする請求項１に記載の作製方法。」と訂正する。
（４）訂正事項ｄ
　特許請求の範囲の請求項４の記載について、「【請求項４】一対の電極付基板間に液晶層を挟持してなる液晶表示装置において、少なくとも一方の基板として請求項１、２又は３に記載の作製方法で作製されたカラーフィルター付基板を用いたことを特徴とする液晶表示装置。」とあるのを、「【請求項３】一対の電極付基板間に液晶層を挟持してなる液晶表示装置において、少なくとも一方の基板として請求項１又は２に記載の作製方法で作製されたカラーフィルター付基板を用いたことを特徴とする液晶表示装置。」と訂正する。
（５）訂正事項ｅ
　明細書【００１５】について、「【課題を解決するための手段】本発明は前述の問題点を解決するものであり、基板上の有効表示領域内における画素間のブラックマトリックスと有効表示領域外における額縁状のブラックマスクとを形成し、次いで有効表示領域内にカラー画素を、有効表示領域外に前記カラー画素と同じ材料からなるダミー被膜を形成した後、カラーフィルター上を研磨することを特徴とするカラーフィルター付基板の作製方法を提供するものである。」とあるのを、「【課題を解決するための手段】本発明は前述の問題点を解決するものであり、基板上の有効表示領域内における画素間のブラックマトリックスと有効表示領域外における額縁状のブラックマスクとを黒色顔料分散感光性樹脂により形成し、次いで有効表示領域内にカラー画素を、有効表示領域外に前記カラー画素と同材料かつ同形状のダミー被膜を形成した後、カラーフィルター上を研磨することを特徴とするカラーフィルター付基板の作製方法を提供するものである。」と訂正する。
（６）訂正事項ｆ
　明細書【００１７】について、「また、ダミー被膜の面積は、有効表示領域外の１％〜２０％程度とし、カラー画素と同形状で設けることが好ましい。もちろんその他の形状も採用可能である。」とあるのを、「また、ダミー被膜の面積は、有効表示領域外の１％〜２０％程度とし、カラー画素と同形状とする。」と訂正する。
（７）訂正事項ｇ
　明細書【００３２】について、「【実施例】以下、図面に従って、本発明にかかる実施例を説明する。図１はその例を示す断面図である。研磨加工を施したガラス基板１２上にまず、画素間のブラックマトリックス１３、及び有効表示領域外のブラックマスク１４を黒色顔料（カーボン）分散感光性樹脂をフォトリソグラフィーでパターニングすることにより、形成した。次いでカラー画素１１及びカラー画素と同じ材料からなるダミー被膜１５を一度に同じ工程で顔料分散法を用いて形成した。」とあるのを、「【実施例】以下、図面に従って、本発明にかかる実施例を説明する。図１はその例を示す断面図である。研磨加工を施したガラス基板１２上にまず、画素間のブラックマトリックス１３、及び有効表示領域外のブラックマスク１４を、黒色顔料（カーボン）分散感光性樹脂をフォトリソグラフィーでパターニングすることにより、形成した。次いでカラー画素１１及びカラー画素と同じ材料からなるダミー被膜１５を一度に同じ工程で顔料分散法を用いて形成した。」と訂正する。
（８）訂正事項ｈ
　明細書【００３６】について、「図４に示すように、有効表示領域外のブラックマスク１４上に形成したダミー被膜１５は、隣接するカラー画素１１より優先的に研磨されているが、有効表示領域内ではほぼ均一に研磨が行われている。これに対して、比較例では図５に示すように有効表示領域内のカラー画素１１もその端部のカラー画素が大きく削られて、その高さが低くなっていた。」とあるのを、「図５に示すように、有効表示領域外のブラックマスク１４上に形成したダミー被膜１５は、隣接するカラー画素１１より優先的に研磨されているが、有効表示領域内ではほぼ均一に研磨が行われている。これに対して、比較例では図４に示すように有効表示領域内のカラー画素１１もその端部のカラー画素が大きく削られて、その高さが低くなっていた。」と訂正する。
（９）訂正事項ｉ
　明細書【００４１】について、「【発明の効果】本発明は、カラーフィルター付１板のカラーフィルター研磨において、外周部のカラー画素の研磨を抑制するため表示有効領域内の最外周のカラー画素の表面の研磨による面ダレを防止し、面内カラ画素の研磨偏差を小さくする効果を有する。その結果、面内のカラーフィルタの表面平滑性を向上させ、この基板を用いた液晶表示装置は面内の色差が小さく、コントラストや色再現性等が良好である効果も認められた。」とあるのを、「【発明の効果】本発明は、カラーフィルター付基板のカラーフィルター研磨において、外周部のカラー画素の研磨を抑制するため、表示有効領域内の最外周のカラー画素表面の研磨による面ダレを防止し、面内のカラー画素の研磨偏差を小さくする効を有する。その結果、面内のカラーフィルターの表面平滑性を向上させ、この基を用いた液晶表示装置は面内の色差が小さく、コントラストや色再現性等が良好である効果も認められた。」と訂正する。
（１０）訂正事項ｊ
　明細書【図面の簡単な説明】の記載について、「【図２】本発明の表示装置用カラーフィルター付基板の研磨後の構成の断面図」とあるのを、「【図２】従来のカラー液晶表示用ガラス基板の構成の断面図」と訂正する。
（５４）【発明の名称】
表示装置用カラーフィルター付基板の作製方法及びそれを用いた液晶表示装置
（５７）【特許請求の範囲】
　【請求項１】
　基板上の有効表示領域内における画素間のブラックマトリックスと有効表示領域外における額縁状のブラックマスクとを
黒色顔料分散感光性樹脂により
同材料かつ同形状の
法。
　
【
２
　カラーフィルター上を研磨した後に、カラーフィルター上に保護層を形成し、さらに電極層を形成することを特徴とする請求項
１に
　【請求項
３
　一対の電極付基板間に液晶層を挟持してなる液晶表示装置において、少なくとも一方の基板として請求項１
又は２
【発明の詳細な説明】
　【０００１】
　【産業上の利用分野】
　本発明は、カラーフィルター付基板の作製方法及びそれを用いた液晶表示装置に関するものである。
　【０００２】
　【従来の技術】
　液晶表示素子はその薄さ、軽さ、低消費電力などの特徴から従来表示装置の主流を占めてきたＣＲＴ（陰極線管）に代わり得るものとして近年目覚ましい発展を示している。この表示素子をカラー化し、よりＣＲＴに近い表示性能を得るために欠くことができないものがカラーフィルターであり、これまでに様々な材料や方式が提案されている。
　【０００３】
　その代表例はゼラチンなどの天然高分子の薄膜を染料により染色して得られる染色カラーフィルターであり、これまでの液晶方式の小型カラーテレビなどに用いられてきている。この染色カラーフィルターは透過率、色度の点で優れているものであったが、近年液晶表示素子の大型化が進むに及んでいくつかの欠点が指摘されている。
　【０００４】
　すなわち、大面積にわたる色度の均一性の不足、工程の複雑さからくるコスト高、あるいは染料を用いることによる耐熱性や耐候性の不足等である。
　【０００５】
　こうした欠点を補うものとして、近年、色素として顔料を用い、これを感光性樹脂の中にあらかじめ分散させた、いわゆる顔料分散法が注目されている。顔料分散法によるカラーフィルターの製造は一般に次の工程により行われている。
　【０００６】
　まずガラス、プラスチック等の透明基板に、画素間を遮光するためにブラックマトリックスと呼ばれる遮光層を形成する。この遮光層はＴＦＴ方式の液晶素子においてはトランジスタの特性の保持又はコントラストの低下防止のために設けられるもので、通常遮光性に優れたクロム薄膜により形成される。
　【０００７】
　またＳＴＮ方式の液晶素子に代表される単純マトリックス駆動においては、もともとこれらの素子のコントラストがＴＦＴ方式に比べて低いことや、低コスト化の追求のために、ブラックマトリックスは省略されたり、又は３原色の重ね合わせにより形成されるのが通常であり、必ずしも高い遮光性を与えることは行われていない。
　【０００８】
　すなわち、基板上に顔料と感光性樹脂とを含む着色レジストを塗布し、さらにこの着色レジスト層に重ねて酸素遮断膜としてＰＶＡ（ポリビニルアルコール）層等を塗布した後、所定のパターン形状のフォトマスクを介して露光を行い、その後現像により未露光部分を除去してカラーパターンを形成する。この操作をさらに別の色で２回繰り返し３原色のカラーフィルターを形成している。
　【０００９】
　しかしこのような染色法又は顔料分散法によって作製されたカラーフィルターを表示素子用途に用いた場合、画素の平坦性が十分でないという問題がある。このため、大面積に亘り均一な表示が得にくい。かかる欠点を解決するために、カラーフィルターの上に有機物又は無機物からなるオーバーコートを平坦化膜として形成し、さらに、液晶その他の電気光学媒体にパターン化された電圧を印加するための電極層を形成することが行われている。
　しかし、これでも平坦化能が十分でない場合があり、十分な平坦化能を得るにはこの膜を厚くする必要があるため、膜の強度低下などをもたらす恐れがあった。このため、かかる保護膜を形成する前にカラーフィルターをあらかじめ研磨し平坦性を向上しておくことが提案されている。
　【００１０】
　かかる従来のカラー液晶表示用ガラス基板の構成断面図の一例を図２に示す。有効表示領域の最外周から有効表示領域外にかけては、線幅数ｍｍの黒色層によるブラックマスク２６が形成され、有効表示領域内のカラー画素２２（Ｒ、Ｇ、Ｂ）及び線間のブラックマトリックス２５を額縁状に囲んでいる。カラー画素２２上にはオーバーコート２３及びＩＴＯ等からなる電極層２４が形成されている。
　【００１１】
　前述のようにオーバーコート２３及びＩＴＯ等からなる電極層２４を形成する前に、カラー画素２２の異常突起物を除去し、画素内の表面平滑性を向上させるため、カラー画素２２表面を研磨することが提案されている。
　【００１２】
　その表面の代表的な研磨方法として図３に示すようなオスカー式片面研磨機がある。この研磨の原理は以下のようなものである。回転、揺動するとともに荷重を精密にコントロールされた上定盤３３の表面上にカラーフィルター付のガラス基板３１を保持具３４で保持する。ガラス基板３１上のカラーフィルター３２は、回転する下定盤３６に貼付けられた研磨布３５上に分散された研磨材によって研磨される。このメカニズムには物理的研削と化学的反応があると考えられる。
　【００１３】
　【発明が解決しようとする課題】
　オスカー式片面研磨法など、通常の研磨方法において加工物が回転するが、一般に回転体の中央部の周速は、外周部のそれと比較して小さい。その結果、加工物の中央部の研磨速度が、その外周部の研磨速度よりも遅いため、加工物の中央部は外周部よりも研磨されにくい傾向にある。したがって、従来のカラーフィルター付ガラス基板を研磨すると、面内の研磨偏差が大きい。
　【００１４】
　本発明の目的は従来のガラーフィルターの研磨偏差を減らし、平坦性を向上することにある。
　【００１５】
　【課題を解決するための手段】
　本発明は前述の問題点を解決するものであり、基板上の有効表示領域内における画素間のブラックマトリックスと有効表示領域外における額縁状のブラックマスクとを
黒色顔料分散感光性樹脂により
同材料かつ同形状の
　【００１６】
　本発明の有効表示領域外に形成するダミー被膜としては、カラー画素（赤、緑、青）と同じ材料を使用する。これにより、カラー画素形成時に一度にダミー被膜をも形成できる。
　【００１７】
　また、ダミー被膜の面積は、有効表示領域外の１％〜２０％程度とし、カラー画素と同形状
とする。
　【００１８】
　本発明では、ダミー被膜の材料としてカラー画素と同じものを用いて表示領域外の光抜けを防止する観点から、有効表示領域外に形成されたブラックマスクに重ねて設けられる。
　【００１９】
　また、該被膜の厚みは特に限定しないが、研磨前には、基板表面からの高さ（下地としてのブラックマスクの厚みを含む）がカラー画素と同等かそれよりも若干高いことが望ましい。
　【００２０】
　また、研磨終了後には該被膜の厚みすなわち基板表面からの高さ（ブラックマスクの厚みを含む）が、有効表示領域内のカラー画素の高さと同程度又は低いことが、カラーフィルター表面の平滑性の向上させる理由から好ましい。
　【００２１】
　このカラーフィルターを研磨する方法として、特に限定しないが、オスカー式片面研磨方法が好ましく使用できる。もちろん、他の研磨方式を用いてもよいし、固定砥粒を用いたものであってもよい。
　【００２２】
　こうして形成されたカラーフィルターを表示体等の用途に用いる場合は、この上に有機物又は無機物からなる保護層が形成され、さらに、液晶その他の電気光学媒体にパターン化された電圧を印加するための電極層が形成される。
　【００２３】
　保護層は、おもに、アクリル樹脂、シリコーン樹脂、ポリイミド樹脂、エポキシ樹脂等の有機樹脂、又はシリカ、アルミナ、チタニア、もしくはその混合物からなり、透光性であることが必要である。この層は、下部のカラーフィルター部分を保護する機能を有するとともに、カラーフィルター部分表面の凹凸を平坦化する機能を有する。これにより、電気光学媒体層の厚みを均一にし、表示品位の良い表示体が得られることになる。したがって、この保護層としては、レベリング性能の良い有機樹脂を用いることが一般に好適である。
　【００２４】
　保護層の上に設けられる電極層との密着性を向上する観点からは、有機樹脂からなる層の上に、シリカ等の無機物の層を形成したものを保護層とすることも好ましい。
　【００２５】
　保護層の厚みは、１μｍ〜２０μｍ程度が好ましい。これより薄いと、平坦化性能が不足し、これより厚いと、透明性が低下したり、クラック等を生じて強度低下の原因となる。
　【００２６】
　保護層を形成する方法としては、保護層が有機樹脂からなる場合は、ロールコーター、エアナイフコーター、ブレードコーター、ロッドコーター、バーコーター、スピンコーター等の各種コーターによることができる。また、保護層が無機物からなる場合は、蒸着、スパッタ等の物理的製膜法、ＣＶＤ等の化学的製膜法、ＣＬＤ、スプレー法等の湿式製膜法など、各種の製膜法を用いることができる。
　【００２７】
　次いで、保護層の上には電極層が形成される。電極層は、アルミニウム又はクロム等からなる。また、透過型表示体においては光透過性である必要があり、一般に酸化インジウム錫（ＩＴＯ）や酸化錫等を用いることが好ましいが、これに限られない。また、電極層は、表示に対応してパターニングされていてもよいし、共通電極として用いられる場合などにはベタ電極とされてもよい。電極層の形成方法としては、特にこれに限られないが、層厚を均一にする見地からは、蒸着法、スパッタ法等が好ましく用いられる。
　【００２８】
　なお、本発明においては、必要に応じて電極の上又は下にＳｉＯ２、ＴｉＯ２等の絶縁膜、ＴＦＴ、ＭＩＭ、薄膜ダイオード等の能動素子、位相差膜、偏光膜、反射膜、光導電膜等が形成されていてもよい。
　【００２９】
　さらに、電極付基板上に、液晶表示体の場合は、必要に応じて配向膜を形成する。これは、ポリイミド、ポリアミド、ポリビニルアルコール等の有機樹脂膜をラビングしたものであってもよいし、ＳｉＯ等を斜め蒸着してもよいし、垂直配向剤を塗布したものであってもよい。
　【００３０】
　さらに、液晶表示体を製造する方法については、通常用いられる方法が採用できる。すなわち、一対の基板のうちの一方を上記カラーフィルター付電極基板とし、他方を適宜パターニングされた電極付基板とし、上記基板上に必要に応じて液晶配向膜を形成し、次いで、前記一対の基板を電極面側を相対向させて周辺部をシールしてその内部に液晶を封入する。これにより、鮮明度の高いカラー液晶表示体を得ることができる。
　【００３１】
　【作用】
　通常の研磨方法等の場合、加工物表面の中央部よりも外周部の方が優先的に研磨されやすいが、本発明において、有効表示領域外に形成されたダミー被膜は、それが選択的に研磨されることによって隣接するカラー画素の研磨を阻止するように働いて表示有効領域内の中央部と外周部のカラー画素の研磨レベルを同等になるように動作させるものと思われる。
　【００３２】
　【実施例】
　以下、図面に従って、本発明にかかる実施例を説明する。図１はその例を示す断面図である。研磨加工を施したガラス基板１２上にまず、画素間のブラックマトリックス１３、及び有効表示領域外のブラックマスク１４を
、
　【００３３】
　次にカラー画素１１表面をオスカー式片面研磨機を用いて研磨した。砥粒として極微細なアルミナ粉末、研磨布として硬めのスエードタイプを使用した。研磨加工圧は１０ｇ／ｃｍ２で１分間研磨を行った。
　【００３４】
　この時点で基板を顕微鏡で観察した結果、カラーフィルター表面が荒れることなく研磨されていることがわかった。またカラーフィルター表面のうねりの様子を図５に示す。
　【００３５】
　比較例として、ダミー被膜を形成しない場合について、同一条件で研磨した後の様子を断面図として図４に示す。
　【００３６】
　図
５
　これに対して、比較例では図
４
　【００３７】
　また有効表示領域内の中央部と外周部とのカラー画素の膜厚の差は、従来のカラーフィルターでは５〜８％であったが、本発明のそれでは１〜３％に改善された。
　【００３８】
　このカラーフィルター上に硬化後厚さ３μｍになるように透明なアクリル樹脂をスピンコーターで塗布、加熱、硬化し、オーバーコートを形成した。さらにオーバーコート上に低温スパッタ法にてＩＴＯ（インジウム−錫−酸化物）膜を形成した。次いで、ポジ型レジストを用いた通常のフォトリソグラフィーで、前記ＩＴＯ膜上に所望のレジスト膜のパターンを形成し、塩酸系エッチング液でエッチングした後よく水洗し、前記レジスト膜を除去してＩＴＯ膜をパターニングし、液晶表示装置を構成する片側の基板を得た。
　【００３９】
　これを一方の基板として使用し、もう一方の電極付基板とともに、表面にポリイミド膜をラビングして得た配向膜を形成した。液晶としてはカイラル化合物を添加した液晶ＺＬＩ２２９３（メルク社製）を使用してこの基板間に挟持し、２４０度ツイストの１／２４０デューティ液晶表示素子を作成した。この液晶表示素子を駆動したところ、面内の色差が少なくコントラストや色再現性等が良好であって、充分なフルカラー表示ができることを確認した。
　【００４０】
　また、本発明で形成した１画素分（ＲＧＢ３個１組）のダミー被膜は、有効表示領域外のブラックマスクに隠れて、外観上問題にならなかった。
　【００４１】
　【発明の効果】
　本発明は、カラーフィルター付基板のカラーフィルター研磨において、外周部のカラー画素の研磨を抑制するため、表示有効領域内の最外周のカラー画素の表面の研磨による面ダレを防止し、面内のカラ
ー
　【００４２】
本発明は、特に研磨機、研磨条件を変更することなく、従来のカラーフィルターと同様に研磨することによりカラーフィルターの表面平滑性を向上させるという効果が認めらる。
【図面の簡単な説明】
　【図１】本発明の表示装置用のカラーフィルター付基板の研磨前の構成の例を示す断面図
　【図２】
従来のカラー液晶表示用ガラス基板の構成の
　【図３】カラーフィルター付基板を研磨するオスカー式片面研磨機の断面図及び上方からの正面図
　【図４】従来のカラーフィルター付基板の研磨後における断面図
　【図５】本発明のカラーフィルター付基板の研磨後における断面図
　【符号の説明】
　１１　カラー画素
　１２　ガラス基板
　１３　ブラックマトリックス
　１４　ブラックマスク
　１５　ダミー被膜
　２１　ガラス基板
　２２　カラー画素
　２３　オーバーコート
　２４　電極層
　２５　ブラックマトリックス
　２６　ブラックマスク
　３１　ガラス基板
　３２　カラーフィルター
　３３　上定盤
　３４　保持具
　３５　研磨布
　３６　下定盤